(57)【要約】【課題】  美観を損なうことなく、レンズ鏡筒の小型化及び軽量化を実現することができる撮影レンズを提供する。【解決手段】  カメラ側通信部２４を備えたカメラ１６に対して着脱可能な撮影レンズ２であって、レンズ鏡筒８と、前記レンズ鏡筒８の径方向において該レンズ鏡筒８の外径よりも外側に配置されており、且つ前記撮影レンズ２の前記カメラ１６への装着完了に伴って対向配置される前記カメラ側通信部２４と通信するレンズ側通信部とを備える。【選択図】  図５
2010186049.tif 000002
【特許請求の範囲】
【請求項１】
カメラ側通信部を備えたカメラに対して着脱可能な撮影レンズであって、
レンズ鏡筒と、
前記レンズ鏡筒の径方向において該レンズ鏡筒の外径よりも外側に配置されており、且つ前記撮影レンズの前記カメラへの装着完了に伴って対向配置される前記カメラ側通信部と通信するレンズ側通信部と、を備えることを特徴とする撮影レンズ。
【請求項２】
前記レンズ側通信部は、前記レンズ鏡筒の外壁部に突出して設けられたアクチュエータ収納部上であって、且つ前記撮影レンズの前記装着完了時に前記カメラ側通信部に対向配置される位置に設けられていることを特徴とする請求項１記載の撮影レンズ。
【請求項３】
前記アクチュエータ収納部は、該撮影レンズの焦点位置調節用アクチュエータ、ズーム位置調節用アクチュエータ及び手振れ補正機構用アクチュエータの中の少なくとも1つを収納することを特徴とする請求項１または２記載の撮影レンズ。
【請求項４】
前記レンズ側通信部は、電気的な接点、または光通信を行う投光部及び受光部であることを特徴とする請求項１〜３の何れか一項に記載の撮影レンズ。
【請求項５】
レンズ側通信部を備えた撮影レンズを着脱可能なカメラであって、
前記撮影レンズを装着するためにカメラの前面に設けられたマウント部と、
前記カメラの前記前面上において前記マウント部の外径よりも外側に配置されており、且つ前記撮影レンズの前記マウント部への装着完了に伴って対向配置される前記レンズ側通信部と通信するカメラ側通信部と、を備えることを特徴とするカメラ。
【請求項６】
前記カメラ側通信部は、前記カメラ前面上であって、且つ該カメラの上部において前記本体前面よりも前方に突出して設けられている突出部と前記マウント部の外径との間に設けられていることを特徴とする請求項５記載のカメラ。
【請求項７】
前記突出部には、撮影用照明装置または電子ビューファインダーが収納されることを特徴とする請求項６記載のカメラ。
【請求項８】
前記カメラ側通信部は、電気的な接点、または光通信を行う投光部及び受光部であることを特徴とする請求項５または６記載のカメラ。
【発明の詳細な説明】
【技術分野】
【０００１】
本発明は、カメラに対して着脱可能な撮影レンズ及び撮影レンズを着脱可能なカメラに関するものである。
【背景技術】
【０００２】
撮影レンズを備えたレンズユニットを装着するためのマウント上にレンズユニット側と電気的に接続するための端子を備えたレンズ交換式カメラが提案されている（例えば、特許文献１参照）。
【先行技術文献】
【特許文献】
【０００３】
【特許文献１】特開２００６−２３５０８３号公報
【発明の概要】
【発明が解決しようとする課題】
【０００４】
ところで、撮影レンズを収納するレンズ鏡筒内には、撮影レンズの焦点位置調節用アクチュエータ、ズーム位置調節用アクチュエータ及び手ブレ補正機構用アクチュエータ等が内蔵されている。また、レンズ鏡筒には、カメラ本体と撮影レンズとの間で通信するために、カメラ本体のマウント上に設けられている電気的な接点と接続するための電気的な接点がレンズ側のマウント上に設けられている。しかしながら、これらアクチュエータ及び電気的な接点をマウント上に搭載することによりマウント径が大きくなり、ひいてはレンズ鏡筒の径は大きくなっていた。また、これに伴い、カメラボディ側のマウント径も大きなものにならざるを得なかった。
【０００５】
本発明の目的は、美観を損なうことなく、レンズ鏡筒の小型化及び軽量化を実現することができる撮影レンズ、及びカメラボディ側マウントを小型化可能なカメラを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮影レンズは、カメラ側通信部（２４）を備えたカメラ（１６）に対して着脱可能な撮影レンズ（２）であって、レンズ鏡筒（８）と、前記レンズ鏡筒（８）の径方向において該レンズ鏡筒（８）の外径よりも外側に配置されており、且つ前記撮影レンズ（２）の前記カメラ（１６）への装着完了に伴って対向配置される前記カメラ側通信部（２４）と通信するレンズ側通信部（１４）とを備えることを特徴とする。
【０００８】
また、本発明のカメラは、レンズ側通信部（１４）を備えた撮影レンズ（２）を着脱可能なカメラ（１６）であって、前記撮影レンズ（２）を装着するためにカメラ（１６）の前面に設けられたマウント部（２０）と、前記カメラ（１６）の前記前面上において前記マウント部（２０）の外径よりも外側に配置されており、且つ前記撮影レンズ（２）の前記マウント部（２０）への装着完了に伴って対向配置される前記レンズ側通信部（１４）と通信するカメラ側通信部（２４）とを備えることを特徴とする。
【発明の効果】
【０００９】
本発明の撮影レンズ及びカメラによれば、美観を損なうことなく、カメラボディ及びレンズ側のマウント径の小型化を実現でき、またレンズ鏡筒の小型化及び軽量化を実現することができる。
【図面の簡単な説明】
【００１０】
【図１】実施の形態に係る撮影レンズの外観を示す図である。
【図２】実施の形態に係る撮影レンズの外観を示す図である。
【図３】実施の形態に係るカメラの外観を示す図である。
【図４】実施の形態に係るカメラの外観を示す図である。
【図５】カメラに撮影レンズが装着された状態を示す図である。
【図６】カメラに撮影レンズが装着された状態を示す図である。
【発明を実施するための形態】
【００１１】
以下、図面を参照して、本発明の実施の形態に係る撮影レンズ及びカメラについて説明する。まず、図１及び図２を参照して、実施の形態に係る撮影レンズ２の構成について説明する。図１及び図２は実施の形態に係る撮影レンズ２の外観を示す図であり、図１は側面図、図２は図１中の矢印Ａから見た図である。撮影レンズ２は、後述するカメラ１６（図３参照）に対して、カメラ側マウント部２０、レンズ側マウント部５を介して着脱可能に構成されており、図１に示す差込部４をカメラ１６のマウント開口部１８（図３参照）に差し込み、バヨネットマウント構造であるカメラ側マウント部２０にレンズ側マウント部５を係合させることによりカメラ１６に固定される。
【００１２】
また、撮影レンズ２は、レンズ部材６（図２参照）等を収納するレンズ鏡筒８を備えており、レンズ鏡筒８の差込部４側の上部（レンズ側マウント部５の上部でもある）には、レンズ鏡筒８の外壁部に突出してアクチュエータ収納部１０が設けられている。アクチュエータ収納部１０内には、焦点位置調節用アクチュエータ（図示せず）、ズーム位置調節用アクチュエータ（図示せず）及び手振れ補正機構用アクチュエータ（図示せず）が収納されている。
【００１３】
焦点位置調節用アクチュエータは、撮影レンズ２の焦点位置を調節する際に、レンズ鏡筒８内の調節用レンズ（図示せず）を光軸方向に移動させる。また、ズーム位置調節用アクチュエータは、被写体像を拡大または縮小させる際に、レンズ鏡筒８内のズームレンズ（図示せず）を光軸方向に移動させ、手振れ補正機構用アクチュエータは、手振れを補正する際に、レンズ鏡筒８内の補正用レンズ（図示せず）を光軸方向に対して縦方向または横方向に移動させる。なお、アクチュエータ収納部１０内には、焦点位置調節用アクチュエータ、ズーム位置調節用アクチュエータ及び手振れ補正機構用アクチュエータの少なくとも１つが収納されていればよい。
【００１４】
また、アクチュエータ収納部１０の側部には、カメラ１６と通信するための電気的な接点（以下、レンズ側接点という）１４を備えた設置部材１２が設けられており、設置部材１２（レンズ側接点１４）は、レンズ鏡筒８の径方向においてレンズ鏡筒８の外径よりも外側（レンズ側マウント部５の外径よりも外側でもある）に配置され、且つ撮影レンズ２のカメラ１６への装着完了に伴ってカメラ１６の電気的な接点２４（図３参照）と対向配置される。
【００１５】
次に、図３及び図４を参照して、実施の形態に係るカメラ１６の構成について説明する。図３及び図４は実施の形態に係るカメラ１６の外観を示す図であり、図３は正面図、図４は右側面図である。カメラ１６は、マウント開口部１８の周囲に形成されたカメラ側マウント部２０に対して撮影レンズ２を着脱可能に構成されている。即ち、カメラ１６に撮影レンズ２を装着する際には、撮影レンズ２に表示される着脱指標（図示せず）とカメラ側マウント部２０の側部に表示される着脱指標とを一致させた状態で撮影レンズ２の差込部４をマウント開口部１８に差し込み、撮影レンズ２がカメラ１６に固定される位置まで撮影レンズ２を回動させる。一方、カメラ１６から撮影レンズ２を取り外す際には、カメラ側マウント部２０の側部に設けられた図示しないレンズ取外しボタンを押下した状態で撮影レンズ２をカメラ側マウント部２０の側部に表示される着脱指標（図示せず）まで回動させる。そして、撮影レンズ２をマウント開口部１８から引き抜く。
【００１６】
また、カメラ１６の前面上部には、カメラ１６本体前面よりも前方に突出した突出部２２が設けられている。突出部２２内には、被写体像を表示するための電子ビューファインダー（図示せず）及び被写体を照明するための照明光を発する撮影照明装置（図示せず）等が収納されている。また、突出部２２とカメラ側マウント部２０の外径との間には、カメラ１６と撮影レンズ２との間で通信するために、図２に示すレンズ側接点１４と接続する電気的な接点（以下、カメラ側接点のという）２４が設けられている。
【００１７】
図５及び図６は、カメラ１６に撮影レンズ２が装着された状態を示す図であり、図５は右側面図、図６は正面図である。図５に示すように、カメラ１６に撮影レンズ２が装着されているときには、カメラ側接点２４と設置部材１２に設置されているレンズ側接点１４（図５では図示せず）とが電気的に接続され、カメラ１６と撮影レンズ２との間の通信が可能となる。また、図６に示すように、カメラ１６に撮影レンズ２が装着されているときには、撮影レンズ２のアクチュエータ収納部１０及び設置部材１２（図６では図示せず）が、カメラ１６の突出部２２とカメラ側マウント部２０との間に収まる。
【００１８】
この実施の形態に係る撮影レンズ２によれば、焦点位置調節用アクチュエータ、ズーム位置調節用アクチュエータ及び手振れ補正機構用アクチュエータ等を収納するアクチュエータ収納部１０やレンズ側接点１４がレンズ鏡筒８の外径よりも外側に配置されているため、従来の撮影レンズと比較してレンズ鏡筒８の外径を小さくすることができる。したがって、撮影レンズ２（レンズ鏡筒８）の小型化及び軽量化を実現することができる。
【００１９】
また、この実施の形態に係るカメラ１６によれば、カメラ側接点２４がカメラ側マウント部２０の外径よりも外側に配置されているため、この実施の形態に係る撮影レンズ２を装着することができ、かつ撮影レンズ２との間で通信を行うことができる。
【００２０】
また、この実施の形態に係る撮影レンズ２及びカメラ１６によれば、撮影レンズ２をカメラ１６に装着した際に、撮影レンズ２のアクチュエータ収納部１０及び設置部材１２が、カメラ１６の突出部２２とカメラ側マウント部２０との間に収まり、突出部２２と一体化したようになるため、美観を損なうことがない。
【００２１】
なお、この実施の形態においては、撮影レンズ２とカメラ１６とが互いに通信するために電気的な接点を備えているが、電気的な接点の代わりに光通信を行う投光部及び受光部を備えることもできる。具体的には、撮影レンズ２の設置部材１２に、カメラ１６に対して光を投光する投光部とカメラ１６から投光された光を受光する受光部を設け、カメラ１６の突出部２２とカメラ側マウント部２０との間に、撮影レンズ２に対して光を投光する投光部と撮影レンズ２から投光された光を受光する受光部を設ける。
【符号の説明】
【００２２】
２…撮影レンズ、４…差込部、５…レンズ側マウント部、６…レンズ部材、８…レンズ鏡筒、１０…アクチュエータ収納部、１４…レンズ側接点、１６…カメラ、１８…マウント開口部、２０…カメラ側マウント部、２２…突出部、２４…カメラ側接点。
【図１】
2010186049.tif 000003
【図２】
2010186049.tif 000004
【図３】
2010186049.tif 000005
【図４】
2010186049.tif 000006
【図５】
2010186049.tif 000007
【図６】
2010186049.tif 000008